(57)【要約】【課題】少なくとも１つの空調機を使用することで、建物内部のすべての部屋を効率良く暖房又は冷房することができる空調装置を提供する。【解決手段】床部３と基礎１とにより挟まれた床下空間４に、空調機８における室内機８Ｂの吹出口９から暖気（又は冷気）を吹き込む。床部３には１つ又は複数の流動調整口１２が設けられ、床下空間４内の暖気（又は冷気）の一部を室内側に移動させることで床下空間４内に流動を生じさせ、暖気（又は冷気）が床下空間４の隅部にまで十分行き渡るようにする。流動調整口１２は、暖気（又は冷気）の流量を調節するための開閉部材を取り付けることが好ましい。これにより、床部３をほぼ均一に暖めて（又は冷やして）当該床部３から居住空間側に温熱（又は冷熱）を放射又は対流させ、室内の温度を効率良く調整することができる。【選択図】図１
0003152415.tif 000002
【実用新案登録請求の範囲】
【請求項１】
室内空間と床下空間とが床部で仕切られ、前記床下空間に空調した暖気又は冷気を流通させる空調機を備えて、前記床下空間側から前記床部を介して室内空間の室内温度を調整可能にした構成を有することを特徴とする家屋構造。
【請求項２】
前記床部に流動調整口が配設され、この流動調整口により前記床下空間の暖気又は冷気の流動を調整することを特徴とする請求項１に記載の家屋構造。
【請求項３】
前記空調機は、空調した暖気又は冷気を床下空間に送り込む吹出口と、前記流動調整口から前記室内空間内に流入して循環した空気を吸引する吸引口が形成されていることを特徴とする請求項１又は請求項２に記載の家屋構造。
【請求項４】
前記床下空間は、床部と基礎とにより挟まれた領域によって形成され、当該床下空間の底部には断熱材が敷設されていることを特徴とする請求項１ないし請求項３のいずれかに記載の家屋構造。
【請求項５】
上階の床下空間は、床部と下階の天井材とにより挟まれた領域によって形成され、当該床下空間の底部には断熱材が敷設されていることを特徴とする請求項１ないし請求項４のいずれかに記載の家屋構造。
【請求項６】
前記空調機で空調した暖気又は冷気を１階の床下空間からｎ階（ｎ≧２）の床下空間まで送り込む送気路を備えて該送気路に分流手段が配設され、この分流手段により前記１階の床下空間からｎ階の床下空間まで暖気又は冷気を送り込み可能にした構成を有することを特徴とする請求項５に記載の家屋構造。
【請求項７】
前記床部の床材は、木質材、繊維質材、合成樹脂材、石材、コンクリート材のいずれか又はそれらの組み合わせであることを特徴とする請求項１ないし請求項６のいずれかに記載の家屋構造。
【考案の詳細な説明】
【技術分野】
【０００１】
本考案は、１つの空調機で室内空間を効率良く冷暖房することのできる家屋構造に関する。
【背景技術】
【０００２】
建物の室内空間を空調するには、通常空調機の室外機を建物の外部に設置すると共に、室内機を建物の内部に取り付け、当該空調機の室内機から暖気又は冷気を吹き出すことによって室内空間を暖房又は冷房することが行われている。このような空調システムの場合は、室外機と室内機とからなる空調機を各部屋にそれぞれ設置しなければならない。
【０００３】
上記従来の空調システムによると、必要に応じて各部屋別に空調機を使用できるので省エネルギーの面からは好都合であるけれども、部屋数が多い場合には、空調機の数が増えるため経済的負担が大きくなる。
【０００４】
更に、従来の空調システムでは、部屋の壁に取り付けた室内機のファンを用いて暖気又は冷気を吹き出し、且つ上下方向や左右方向に動くフィンを介在させて吹出方向を微調整できるようにしてあるが、それでも部屋の内部で温度差が生じ易いという問題があった。
【０００５】
このような温度差の問題を解決する技術としては、従来例えば特許文献１に開示されているように天井放射パネル面を冷却又は加熱して室内の冷暖房を行うようにした天井放射冷暖房装置が知られている。しかしながら、この場合は、季節や天候、人数などの環境で室内の熱負荷は変動するため、快適な室内環境にするためには運転開始後、安定するまで時間が掛かるという課題を解決するためになされた発明であり、立ち上がり時間の短縮や室内の熱負荷にあわせた温度制御が可能であり、短時間で快適性を向上させることができるようにしたものである。
【０００６】
特許文献２には、冷水及び温水の少なくとも一方を熱媒体として流す熱媒体流路と、この熱媒体流路を流れる熱媒体から受熱して放射する放射板とを有する放射パネルを部屋の床に備えている空調システムが開示されている。しかしながら、この場合は、部屋の床全面に放射パネルを敷設しないように構成し、エネルギーの無駄を防ぐと共に床下に設けたＯＡ機器の配線等の保守及び点検ができるようにしたものである。
【先行技術文献】
【特許文献】
【０００７】
【特許文献１】特開２００６−２５８３７７
【特許文献２】特開２００６−２１４６９５
【考案の概要】
【考案が解決しようとする課題】
【０００８】
本考案は、上記従来技術に鑑みてなされたもので、各部屋に空調機をそれぞれ設けることなく少なくとも１つの空調機を使用することで、建物内部のすべての部屋を効率良く冷暖房することができ、且つ部屋の内部で生じ易い温度差を抑えられるようにした家屋構造を提供することを目的とする。
【課題を解決するための手段】
【０００９】
上記の目的を達成するために、本考案の請求項１は、室内空間と床下空間とが床部で仕切られ、前記床下空間に空調した暖気又は冷気を流通させる空調機を備えて、前記床下空間側から前記床部を介して室内空間の室内温度を調整可能にした構成を有することを特徴とする。
【００１０】
本考案の請求項２は、請求項１の家屋構造において、前記床部に流動調整口が配設され、この流動調整口により前記床下空間の暖気又は冷気の流動を調整することを特徴とする。
【００１１】
本考案の請求項３は、請求項１又は請求項２の家屋構造において、前記空調機は、空調した暖気又は冷気を床下空間に送り込む吹出口と、前記流動調整口から前記室内空間内に流入して循環した空気を吸引する吸引口が形成されていることを特徴とする。
【００１２】
本考案の請求項４は、請求項１ないし請求項３のいずれかの家屋構造において、前記床下空間は、床部と基礎とにより挟まれた領域によって形成され、当該床下空間の底部には断熱材が敷設されていることを特徴とする。
【００１３】
本考案の請求項５は、請求項１ないし請求項４のいずれかの家屋構造において、上階の床下空間は、床部と下階の天井材とにより挟まれた領域によって形成され、当該床下空間の底部には断熱材が敷設されていることを特徴とする。
【００１４】
本考案の請求項６は、請求項５の家屋構造において、前記空調機で空調した暖気又は冷気を１階の床下空間からｎ階（ｎ≧２）の床下空間まで送り込む送気路を備えて該送気路に分流手段が配設され、この分流手段により前記１階の床下空間からｎ階の床下空間まで暖気又は冷気を送り込み可能にした構成を有することを特徴とする。
【００１５】
本考案の請求項７は、請求項１ないし請求項６のいずれかの家屋構造において、前記床部は、木質材、繊維質材、合成樹脂材、石材、コンクリート材のいずれか又はそれらの組み合わせであることを特徴とする。
【考案の効果】
【００１６】
上記請求項１の考案によれば、１つの空調機で空調された暖気又は冷気を家屋の床下空間に流通させ、床材を暖め又は冷やして当該床材を介して１つ又は複数の室内に温熱又は冷熱を伝導、対流、放射することで、室内の温度を調整することができる。これにより、各部屋に空調機をそれぞれ設けることなく少なくとも１つの空調機を使用することで、家屋内部のすべての部屋を冷暖房することができる。
【００１７】
上記請求項２の考案によれば、床部に配設されている流動調整口により床下空間を流動する暖気又は冷気の流れを調整することができる。このため、空気の滞留し易い箇所を無くすことで床下空間の温度をほぼ均一にすることができる。
【００１８】
上記請求項３の考案によれば、前記空調機は、空調した暖気又は冷気を床下空間に送り込む吹出口と、前記流動調整口から前記室内空間内に流入して循環した空気を吸引する吸引口が形成されているため、空気が円滑に循環して各部屋を効率良く冷暖房すると共に、室内空間の内部で部分的に温度差が生じるのを抑えることができる。
【００１９】
上記請求項４の考案によれば、床下空間は、床部と基礎とにより挟まれた領域によって形成され、当該床下空間の底部には断熱材が敷設されているため、床下空間の暖気又は冷気が基礎側に放熱するのを防ぐことができる。これにより、熱損失を小さく抑えることができる。
【００２０】
上記請求項５の考案によれば、上階の床下空間は、上階の床部と下階の天井材とにより挟まれた領域によって形成され、当該床下空間の底部には断熱材が敷設されているため、上階の床下空間の暖気又は冷気が天井材側に放熱、伝導するのを防ぐことができる。
【００２１】
上記請求項６の考案によれば、前記空調機で空調した暖気又は冷気を１階の床下空間からｎ階（ｎ≧２）の床下空間まで送り込む送気路に分流手段が配設され、この分流手段により前記１階の床下空間からｎ階の床下空間まで暖気又は冷気を送り込めるように形成したので、任意の階を冷暖房することができる。このため、２階建ての建物のみならず３階以上の建物にも十分適用することが可能である。
【００２２】
上記請求項７の考案によれば、前記床部の床材は、床材として適用できる材質であれば限定されない。例えば木質フローリング、畳、カーペット、合成樹脂シート、タイル、天然石又は人工石、コンクリート等何であっても良く、又はそれら適宜の組み合わせであっても構わない。このため、床材を自由に選択することができる。
【図面の簡単な説明】
【００２３】
【図１】本考案に係る家屋構造の第一実施形態を示す概略説明図である。
【図２】暖気又は冷気の流量を調節するための開閉部材の一例を示す概略斜視図である。
【図３】暖気又は冷気の流量を調節するための開閉部材の他の例を示す概略斜視図である。
【図４】本考案に係る家屋構造の第二実施形態を示す概略説明図である。
【図５】分流手段として、例えば切替弁を用いる例を示す要部の概略断面図である。
【考案を実施するための形態】
【００２４】
以下、本考案の家屋構造の実施形態について添付図面を参照しながら説明する。
図１は、本考案の第一実施形態を示す概略説明図である。図中、１は基礎、２は外壁であり、床部３（床材を張って形成した床）と基礎１とにより挟まれた領域に床下空間４が設けられ、内壁５又は間仕切りにより複数（図示の例では３つ）の部屋Ａ、Ｂ、Ｃが形成されている。又、床下空間４の底部の上面には断熱材６が敷設されると共に、側部の内面にも断熱材６が取り付けられ、更にほぼ居住空間全体が断熱材７により囲まれている。尚、各部屋Ａ、Ｂ、Ｃの天井材や床部３における床材の支持構造、屋根等は図示されていない。
８は空調機であり、建物の外部に設置される室外機８Ａと、建物の内部に取り付けられる室内機８Ｂとから構成されている。この場合、室内機８Ｂは前記床下空間４の隅部に取り付けられており、床下空間４に暖気又は冷気を吹き出す吹出口９と、室内側から空気を吸い込む吸込口１０とを備えている。１１は空調機８のコントローラであり、この場合は前記部屋Ａ内の内壁（図略）面に取り付けられている。
【００２５】
前記床部３は、１つ又は複数の流動調整口１２が設けられる。図示の例では、床下空間４における室内機８Ｂと反対側の隅部に位置させて、前記部屋Ｃの床材部分に流動調整口１２が１つ設けられているがこれに限定されない。この流動調整口１２は、床下空間４内の暖気又は冷気の一部を室内側（ここでは部屋Ｃ）に移動させることにより、床下空間４内の暖気又は冷気に流動を生じさせて床下空間４の隅部まで十分に行き渡らせるためのものである。これにより、床下空間４の温度をほぼ均一にすることができる。尚、このような流動調整口１２を設けないで実施する場合もある。
【００２６】
又、流動調整口１２は、暖気又は冷気の流量を調節するための開閉部材を取り付けることが好ましい。この開閉部材としては、例えば図２に示すように枠体１３ａと、この枠体１３ａの内側に回転可能に並設された複数のルーバー板１３ｂからなる開閉部材１３を用いることができるが、これに限定されない。当該開閉部材１３は、複数のルーバー板１３ｂの開き角度を変えることで、枠体１３ａの開口面積を全閉〜全開の範囲内で自由に調節することができる。これにより、前記流動調整口１２を通る暖気又は冷気の流量調節が可能となる。
【００２７】
上記開閉部材としては、例えば図３に示すように固定円板１４ａと、この固定円板１４ａに対して同軸に枢支された回転円板１４ｂとからなる開閉部材１４を用いることもできる。当該開閉部材１４は、下側の固定円板１４ａの円周方向に複数個形成された扇形孔１４ｃに対して、上側の回転円板１４ｂの円周方向に複数個形成された扇形孔１４ｄの位置を変えることで、固定円板１４ａの扇形孔１４ｃを全閉〜全開の範囲内で自由に調節することができる。これにより、前記流動調整口１２を通る暖気又は冷気の流量調節が可能となる。
【００２８】
このように構成された第一実施形態においては、前記コントローラ１１により空調機８を作動させると、例えば暖房モード時には室内機８Ｂの吹出口９から床下空間４に暖気が吹き込まれる。この時、前記コントローラ１１により所望の暖房温度を設定することができる。
【００２９】
床下空間４に吹き込まれた暖気により、床下空間４内は徐々に加温されて温度が上昇すると共に、床部３に伝熱して当該床部３の温度を上昇させる。床部３を十分暖めた後に、例えば前記開閉部材１３を僅かに開くと、床下空間４内の暖気の一部が流動調整口１２を通過して部屋Ｃ側に流動する。このため、床下空間４内で緩やかに流動が生じて、床下空間４内の隅部に至るまで暖気が十分に到達する。これにより、床下空間４内の温度をほぼ均一にすることができる。尚、開閉部材１３は、床下空間４に暖気を吹き込む前に下流側のものは開いておき、途中のものは適宜開くようにしても良い。
【００３０】
床下空間４の暖気により温められた床部３は、その温熱を放射又は対流して部屋Ａ、Ｂ、Ｃを温める。前記のように床下空間４内は暖気の流動により温度がほぼ均一に保持されるため、床部３からの放射又は対流熱量は全面に渡ってほぼ等しくなる。
【００３１】
前記流動調整口１２を通過して部屋Ｃ側に流動した暖気は、当該部屋Ｃ内に留まらずに例えばドア下やガラリ、欄間等の隙間を抜けて隣接する部屋Ｂ内に流入し、更にその隣の部屋Ａにも流入する。このため、床下空間４から移動した一部の暖気が、順次各部屋Ａ、Ｂ、Ｃ内を流動する。そして、部屋Ａにおいて、暖気は前記吸込口１０に吸い込まれる。この結果、床下空間４の暖気は各部屋を流動しながら循環することとなり、室内機８Ｂから床下空間４への暖気の吹き出しが円滑となる。
【００３２】
各部屋Ａ、Ｂ、Ｃを流動する暖気は、極めて緩慢な速度であって肌で風を感じない程度であるため、従来のように各部屋別に付けた室内機からファンによって強制的に吹き出される暖気とは異なる。
【００３３】
各部屋Ａ、Ｂ、Ｃの床は床暖房の効果も得られる。このため、床暖房装置を設備する必要がないので、設備投資が安く済みしかもランニングコストも安価になる。又、足元から暖かいので空調機８の設定温度が低めでも十分満足な暖房が得られ、省エネルギーに寄与することができる。
【００３４】
従来方式の暖房時での効率の悪さは、床付近と天井付近で温度差が３℃〜５℃程度生じることであった。しかしながら、本実施形態によると、床付近と天井付近の温度差が１℃未満であり、暖房の効率が非常に優れていることが判明した。しかも、この時の建物の天井高は通常よりも高く、且つ天井にはシーリングファンが無い状態であった。
【００３５】
以上は暖房モードの場合に付いての説明であるが、冷房モードの場合も同様の要領で実施することが可能である。
【００３６】
次に、本考案の空調装置の他の実施形態を添付図面に基づいて説明する。図４は、本考案の第二実施形態を示す概略説明図である。図中、２１は戸建ての建物（２階建て）における１階の床下空間であり、前記と同様に床部２２（詳しくは床材を張って形成した床）と基礎２３とにより挟まれた領域によって形成され、当該領域の下方の基礎２３の上面には断熱材２４が敷設されている。
【００３７】
前記床部２２の要所には複数の流動調整口２５が設けられ、図示は省略したがこれらの流動調整口２５には前記開閉部材１３（又は開閉部材１４）がそれぞれ取り付けられている。又、内壁２６又は間仕切りにより複数（図示の例では３つ）の部屋Ｄ、Ｅ、Ｆが形成されている。尚、前記と同様に外壁２７の内側には断熱材（図略）が取り付けられている。尚、２８は１階の天井材である。
には断熱材３１が敷設されている。
【００３８】
２９は２階の床下空間であり、床部３０（床材を張って形成した床）と前記１階の天井材２８とにより挟まれた領域によって形成され、当該領域の下方の１階の天井裏には断熱材３１が敷設されている。なお、図４と図５においては、床部２２，３０の構造が詳細に示されていて、図５に示す１階の床部２２を例示して説明すれば、床材２２ａと床材支持部２２ｂとの間に、耐水ベニヤやポリオレフィン系樹脂からなる防水性の塗料、フィルム、シートなどの防湿・防水材料２２ｃを床材下面全面と対応するように介在させておく。前記防湿・防水材料２２ｃは床材２２ａと床材支持部２２ｂとの間に限定されるものではなく、床材支持部の下面に設けるようにすることも可能である。
【００３９】
前記２階の床材３０においても要所に複数の流動調整口３２が設けられ、図示は省略したがこれらの流動調整口３２には前記開閉部材１３（又は開閉部材１４）がそれぞれ取り付けられている。又、内壁３３又は間仕切りにより複数（図示の例では３つ）の部屋Ｇ、Ｈ、Ｉが形成されている。
【００４０】
３４は空調機であり、室外機３４Ａと室内機３４Ｂとから構成され、室内機３４Ｂは、暖気又は冷気を吹き出す吹出口３５と、室内側から空気を吸い込む吸込口３６とを備えている。そして、室内機３４Ｂの吹出口３５から吹き出される暖気又は冷気は、建物内に設けられた送気路３７により１階の床下空間２１と、２階の床下空間２９とに吹き込まれる。この場合、空調機３４を制御するコントローラは図示されていない。尚、送気路３７は階段に形成される空間を利用することができる。
【００４１】
３８は分流手段であり、前記送気路３７内の下端部に設けて吹出口３５に対向させてある。この分流手段３８としては、例えば図５に示すように切替弁を用いることができるが、これに限定されない。この場合、分流手段３８を実線の位置に切り替えると、吹出口３５から吹き出される暖気又は冷気を誘導して１階の床下空間２１に吹き込むことができ、仮想線（二点鎖線）の位置に切り替えると、吹出口３５から吹き出される暖気又は冷気を送気路３７に誘導して前記２階の床下空間２９に吹き込むことができる。更に、実線の位置と仮想線の位置との間の領域に分流手段３８を切り替えると、吹出口３５から吹き出される暖気又は冷気を１階の床下空間２１と２階の床下空間２９との両方に分けて吹き込むことができ、しかもその吹き込み量の割合を変化させることができる。３９は分流手段３８の切り替え操作をするための制御手段である。
【００４２】
図４、図５において、４０は建物の内部に設けられた換気路であり、下端部は前記室内機３４Ｂの吸込口３６に連通し、上端部は前記２階の部屋Ｇに開口する流入口４０ａが設けられている。４１は２階の天井材である。
【００４３】
このように構成された第二実施形態においては、図示を省略したコントローラにより空調機３４を作動させると、例えば暖房モード時には室内機３４Ｂの吹出口３５から１階の床下空間２１に暖気が吹き込まれる。この時、前記分流手段３８は前記実線の位置に切り替えられている。当該暖房モード時において、前記コントローラに所望の暖房温度を設定することができる。
【００４４】
１階の床下空間２１に吹き込まれた暖気により、１階の床下空間２１内の空気は徐々に加温されて温度が上昇すると共に、床材２２に伝熱して当該床材２２の温度を上昇させる。そして、前記開閉部材１３（又は開閉部材１４）を適度に開くと、１階の床下空間２１内の暖気の一部が流動調整口２５を通過して部屋Ｄ、Ｅ、Ｆにそれぞれ流動する。このため、１階の床下空間２１内で緩やかに暖気の流動が生じ、１階の床下空間２１内の隅部にまで暖気が十分に到達する。これにより、１階の床下空間２１内の温度をほぼ均一にすることができる。
【００４５】
１階の床下空間２１の暖気により温められた床部２２は、その温熱を放射、伝導、対流して各部屋Ｄ、Ｅ、Ｆを温める。前記のように１階の床下空間２１内は暖気の流動により温度がほぼ均一に保持されるため、床部２２の全面から放射又は対流される熱量はほぼ均等となる。これにより、各部屋Ｄ、Ｅ、Ｆへの熱量にムラが生じない。
【００４６】
前記流動調整口２５を通過して部屋側に流動した暖気は、各部屋内に留まらずに例えばドア下やガラリ、欄間等の隙間を抜けて隣接する部屋内に流入し、更に廊下や階段等に移動する。又、一部の暖気は階段等の空間を通って２階まで移動し、当該２階の居住空間をある程度暖房した後に前記流入口４０ａから換気路４０内に流入する。換気路４０内に流入した暖気は、前記吸込口３６から室内機３４Ｂに吸引される。このようにして、１階の床下空間２１及び２階の床下空間２９の暖気は、１階及び２階の居住空間を流動しながら循環するため、室内機３４Ｂから１階の床下空間２１への暖気の吹き出しが円滑となる。
【００４７】
特に、２階を暖房したい場合には、前記分流手段３８を仮想線の位置に切り替える。これにより、室内機３４Ｂ吹出口３５から吹き出される暖気は、１階の床下空間２１側へは行かずに送気路３７側に流入し、当該送気路３７によって誘導されて２階の床下空間２９内に吹き込まれる。
【００４８】
２階の床下空間２９に吹き込まれた暖気により、２階の床下空間２９内の空気は徐々に加温されて温度が上昇すると共に、床部３０に伝熱して当該床部３０の温度を上昇させる。この時、前記開閉部材１３（又は開閉部材１４）を僅かに開くと、２階の床下空間２９内の暖気の一部が流動調整口３２を通過して部屋Ｇ、Ｈ、Ｉにそれぞれ流動する。このため、２階の床下空間２９内で緩やかに暖気の流動が生じ、隅部にまで暖気が十分に到達する。これにより、２階の床下空間２９内の温度をほぼ均一にすることができる。
【００４９】
２階の床下空間２９の暖気により温められた床部３０は、その温熱を放射、対流して部屋Ｇ、Ｈ、Ｉを温める。前記のように２階の床下空間２９内は暖気の流動により温度がほぼ均一に保持されるため、床部３０の全面から放射又は対流される熱量はほぼ均等となる。これにより、各部屋Ｇ、Ｈ、Ｉへの熱量にムラが生じない。
【００５０】
前記流動調整口３２を通過して部屋側に流動した暖気は、各部屋内に留まらずに例えばドア下やガラリ、欄間等の隙間を抜けて隣接する部屋内に流入して移動する。そして、各部屋を暖房した後に、前記流入口４０ａから換気路４０内に流入し、前記吸込口３６から室内機３４Ｂに吸引される。このようにして、２階の床下空間２９の暖気は、２階の居住空間を流動しながら循環するため、室内機３４Ｂから２階の床下空間２９への暖気の吹き出しが円滑となる。
【００５１】
一方、１階と２階とを同時に暖房したい場合には、前記分流手段３８を実線の位置と仮想線の位置との中間位置に切り替える。これにより、室内機３４Ｂの吹出口３５から吹き出される暖気は、１階の床下空間２１側へ流れるものと、送気路３７を介して２階の床下空間２９側へ流れるものとに分流される。この時、分流手段３８の切り替え位置を変えることで、１階の床下空間２１側への流量と、２階の床下空間２９側への流量との割合を微調整することができる。
【００５２】
以上は暖房モードの場合に付いての説明であるが、冷房モードの場合も同様の要領で実施することが可能である。又、上記第二実施形態は２階建ての場合であるが、本考案はそれに限定されずに３階以上の建物にも適用することが可能である。
【００５３】
３階以上の建物の場合には、図示は省略したが１階の床下空間からｎ階（ｎ≧２）の床下空間まで連通する送気路に分流手段を配設し、この分流手段によりｎ階までの任意の階の床下空間に暖気又は冷気を送り込めるように構成する。このような構成により、例えビル等の建物であっても階数に関係なく十分適用することができる。
【００５４】
本考案によれば、少なくとも１つの空調機で複数の部屋を効率良く冷暖房することができる。セントラル方式の空調システムを、従来に比して２０％程度の設備費で実現することができる。従来の空調システムは、各部屋に空調機を取り付けて居住空間への強制送風による冷暖房を行っていたが、部屋によって、又は部屋内部の場所によっては冷暖房効果にムラが生じて効率が悪かった。これに対し、本考案の空調装置では、１つの空調機を使用して床材への熱伝導と当該床材からの放射、対流熱とを巧く利用することにより、複数の部屋を効率良く冷暖房することができる。
【産業上の利用可能性】
【００５５】
本考案は、少なくとも１つの空調機を使用することで、建物内部のすべての部屋を効率良く冷暖房できるようにした空調装置として有効利用することができる。
【符号の説明】
【００５６】
１  基礎
２  外壁
３  床部
４  床下空間
５  内壁
６、７  断熱材
８  空調機
８Ａ  室外機
８Ｂ  室内機
９  吹出口
１０  吸込口
１１  コントローラ
１２  流動調整口
１３、１４  開閉部材
２１  １階の床下空間
２２  床部
２２ａ  床材
２２ｂ  床材支持部
２２ｃ  防湿・防水材料
２３  基礎
２４  断熱材
２５  流動調整口
２６  内壁
２７  外壁
２８  １階の天井材
２９  ２階の床下空間
３０  床部
３１  断熱材
３２  流動調整口
３３  内壁
３４  空調機
３５  吹出口
３６  吸込口
３７  送気路
３８  分流手段
３９  制御手段
４０  換気路
４１  ２階の天井材
【図１】
0003152415.tif 000003
【図２】
0003152415.tif 000004
【図３】
0003152415.tif 000005
【図４】
0003152415.tif 000006
【図５】
0003152415.tif 000007